(57)【要約】      （修正有）【課題】趣味性を発揮でき、消費者の注意を喚起し、同時に容器内の液体をこぼす及び汚れが容器内に落ちることを避け得る容器蓋を提供する。【解決手段】容器に被せられる容器蓋１と、容器蓋の中央に設けられる凹槽２と、凹槽に対応して覆設される底座３と、底座の表面に設けられ、且つ底座に連接される造形物４とを備え、底座の外壁面に数個の突起３１が環設され、突起に対応する凹槽の壁面に互いに連接される縦向きスロット２１及び横向きスロット２２が設けられた造形物付き容器蓋である。突起が縦向きスロットから入った後、底座が一定角度で回されると、突起が横向きスロットに入ってクランプされ、底座が凹槽に固定される。逆に、突起が横向きスロットから一定角度で回されて縦向きスロットと直線状になると、底座が凹槽から離脱される。【選択図】図２
0003193329.tif 000002
【実用新案登録請求の範囲】
【請求項１】
容器と合わせて実施される容器蓋と、
当該容器蓋の中央に設けられる凹槽と、
当該凹槽に対応して被せられる底座と、
当該底座の表面に設けられ、且つ当該底座に連接される造形物と、を備え、
当該底座の外壁面に数個の突起が環設され、当該突起に対応する当該凹槽の壁面に互いに連接される縦向きスロット及び横向きスロットが設けられ、当該突起が当該縦向きスロットから当該横向きスロットに入った後、当該底座が一定角度で回されて当該横向きスロットの当該縦向きスロットに対応しない位置に入ってクランプされ、当該底座が当該凹槽に離脱しないように固定され、逆に、当該突起が当該横向きスロットから一定角度で回されて当該縦向きスロットと直線状を呈される際に、当該底座が当該凹槽から離脱されるようになる、ことを特徴とする造形物付き容器蓋。
【請求項２】
前記容器蓋の表面に、さらに前記容器の内部と流通する通孔が設けられる、ことを特徴とする請求項1に記載の造形物付き容器蓋。
【請求項３】
前記底座の頂部面に、さらに穴が設けられ、前記造形物が当該穴に対応する位置に、さらに当該造形物が当該底座の頂部面に固定されるための柱状突起が設けられる、ことを特徴とする請求項1に記載の造形物付き容器蓋。
【請求項４】
前記底座の頂部面の周縁に、さらに環状突起が外向きに延設され、前記凹槽が当該環状突起に対応する位置に、さらに環状溝が設けられ、当該底座と当該凹槽と接合される際に、当該底座の表面が前記容器蓋と平らになる、ことを特徴とする請求項1に記載の造形物付き容器蓋。
【考案の詳細な説明】
【技術分野】
【０００１】
本考案は、容器蓋を関し、特に造形物付き容器蓋に関するものである。
【背景技術】
【０００２】
現在、ドリンクスタンドで販売される作りたての飲み物がほとんど紙材やポリスチレン材料から製造される使い捨てカップで提供され、そしてカップの上に蓋体を被せ、カップ内の飲み物をこぼすことを避け、蓋体にはほとんど事前に切った痕跡を有する孔が設けられ、消費者は購入した後に力を入れてストローで孔の痕跡を突き破ってストローをカップ内に挿し入れ、飲み物を吸うのに便利である。
【考案の概要】
【考案が解決しようとする課題】
【０００３】
ただし、飲料カップの上に被せられる上述した蓋体は、飲み物をこぼすことを防止するための単純な機能を有するだけで、装飾性と娯楽性を兼備する効果が設計されなく、これで、消費者の眼差し及び注意を引き付けることができない。
【０００４】
技術及び時代の進歩により、上述した伝統的な蓋体はすでに現在の人々の要求に合うことができなく、必ずさらに吸引力を有する特別な造形のデサインにより、消費者が大量に引き付けられて購入し、そうでなければ造形が単純すぎで時代に淘汰される。
【０００５】
そこで、上記の問題点に対して、充分な趣味性を提供でき、若い消費者の眼差し及び注意力を引き付けることができ、同時に容器内の液体をこぼす及び汚れが容器内に落ちることを避けるようになる造形物付き容器蓋を開発することが本考案の課題となる。
【０００６】
本考案は、充分な趣味性を提供でき、若い消費者の眼差し及び注意力を引き付けることができ、同時に容器内の液体をこぼす及び汚れが容器内に落ちることを避けるようになる造形物付き容器蓋を提供することを目的とする。
【課題を解決するための手段】
【０００７】
前記問題点を解決でき、上記目的を達成するために、本考案の造形物付き容器蓋は、容器と合わせて実施される容器蓋と、当該容器蓋の中央に設けられる凹槽と、当該凹槽に対応して被せられる底座と、当該底座の表面に設けられ、且つ当該底座に連接される造形物と、を備え、当該底座の外壁面に数個の突起が環設され、当該突起に対応する当該凹槽の壁面に互いに連接される縦向きスロット及び横向きスロットが設けられ、当該突起が当該縦向きスロットから当該横向きスロットに入った後、当該底座が一定角度で回されて当該横向きスロットの当該縦向きスロットに対応しない位置に入ってクランプされ、当該底座が当該凹槽に離脱しないように固定され、逆に、当該突起が当該横向きスロットから一定角度で回されて当該縦向きスロットと直線状を呈される際に、当該底座が当該凹槽から離脱されるようになる。
【０００８】
前記容器蓋の表面に、さらに前記容器の内部と流通する通孔が設けられることが好ましい。
【０００９】
前記底座の頂部面に、さらに穴が設けられ、前記造形物が当該穴に対応する位置に、さらに当該造形物が当該底座の頂部面に固定されるための柱状突起が設けられることが好ましい。
【００１０】
前記底座の頂部面の周縁に、さらに環状突起が外向きに延設され、前記凹槽が当該環状突起に対応する位置に、さらに環状溝が設けられ、当該底座と当該凹槽と接合される際に、当該底座の表面が前記容器蓋と平らになることが好ましい。
【考案の効果】
【００１１】
本考案は、従来の技術と比べて、次に列挙する効果がある。
【００１２】
(1)主には容器蓋中央の凹槽に底座が設けられ、且つ底座の上に造形物が設けられることにより、充分な趣味性を提供し、且つ消費者の眼差し及び注意力を引き付け、さらに消費者の購買意欲を高める。
【００１３】
(2)突起が一定の角度で回されて横向きスロットに入った時、底座が凹槽にしっかりと結合されて分離できないことにより、底座が外力の衝撃で離脱することを避け、また、突起が横向きスロットから縦向きスロットに一定の角度で回された時、底座が凹槽から分離できることにより、底座及び造形物が独立のおもちゃとして消費者に提供される。
【００１４】
(3)造形物が底座から分離でき、メーカーが当前のブームによって取り替え、全体の実用性が大幅に増加され、本考案は商品価値を有するようにさせ、市場の需要に合わせる。
【図面の簡単な説明】
【００１５】
【図１】本考案を容器と合わせる状態を示す斜視図
【図２】本考案を示す分解図
【図３】本考案を示す断面図
【図４】本考案の実施形態を示す図
【考案を実施するための形態】
【００１６】
以下、本考案の実施形態について、図面を参照して詳細に説明する。
【００１７】
図1乃至図4に示すように、本考案の造形物付き容器蓋は、容器10と合わせて実施される容器蓋1と、当該容器蓋1の中央に設けられる凹槽2と、当該凹槽2に対応して被せられる底座3と、当該底座3の表面に設けられ、且つ当該底座3に連接される造形物4と、を備え、当該底座3の外壁面に数個の突起31が環設され、当該突起31に対応する当該凹槽2の壁面に互いに連接される縦向きスロット21及び横向きスロット22が設けられている。突起31が当該縦向きスロット21から当該横向きスロット22に入った後、当該底座3が一定角度で回されて当該横向きスロット22の当該縦向きスロット21に対応しない位置に入ってクランプされ、当該底座3が当該凹槽2に離脱しないように固定される。逆に、当該突起31が当該横向きスロット22から一定角度で回されて当該縦向きスロット21と直線状を呈される際に、当該底座3が当該凹槽2から離脱されるようになる。これにより、当該突起31が当該縦向きスロット21から一定の角度で回されて当該横向きスロット22に入った時、当該底座3が当該凹槽2にしっかりと結合されて分離できないことにより、当該底座3が外力の衝撃で離脱することを回避できる。また、当該突起31が当該横向きスロット22から当該縦向きスロット21に一定の角度で回された時、当該底座3が当該凹槽2から分離できることにより、当該底座3及び当該造形物4が独立のおもちゃとして消費者に提供される、という特徴がある。
【００１８】
また、前記容器蓋1中央の前記凹槽2に前記底座3が設けられ、且つ当該底座3の上に前記造形物4が設けられることにより、充分な趣味性を提供し、且つ消費者の眼差し及び注意力を引き付け、さらに消費者の購買意欲を高める。
【００１９】
前記容器蓋1の表面に、さらに前記容器10の内部と流通する通孔11が設けられる。これにより、消費者はストロー5を当該通孔11によって当該容器10内に挿し入れ、容器10内の液体を吸うのに便利である。
【００２０】
前記底座3の頂部面に、さらに穴32が設けられ、前記造形物4が当該穴32に対応する位置に、さらに当該造形物4が当該底座3の頂部面に固定されるための柱状突起41が設けられる。これにより、当該造形物4が当該底座3から分離でき、メーカーが当前のブームによって取り替え、全体の実用性が大幅に増加され、本考案は商品価値を有するようにさせ、市場の需要に合わせる。
【００２１】
前記底座3の頂部面の周縁に、さらに環状突起33が外向きに延設され、前記凹槽2が当該環状突起33に対応する位置に、さらに環状溝23が設けられ。これにより、当該底座3と当該凹槽2と結合される際に、当該環状突起33は当該環状溝23とぴったり合い、当該底座3の表面が前記容器蓋1と平らになり、外観全体の美しさを影響することを避ける。
【００２２】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２３】
1    容器蓋                      31   突起
11   通孔                        32   穴
2    凹槽                        33   環状突起
21   縦向きスロット              4    造形物
22   横向きスロット              41   柱状突起
23   環状溝                      5    ストロー
3    底座                        10   容器
【図１】
0003193329.tif 000003
【図２】
0003193329.tif 000004
【図３】
0003193329.tif 000005
【図４】
0003193329.tif 000006